(57)【特許請求の範囲】
【請求項１】
容器本体の開口部に、シール用部材からなり、円形の天板の周縁に円筒部が形成されるとともに、天板の内側下面にＵ字形の断面形状を有する二重円筒状のシール部が前記円筒部より下側に突出するように形成されているキャップ形外蓋を着脱自在に冠着してなり、前記二重円筒状のシール部外周であって前記円筒部より突出している部分に弾性を有する環状のシールリップを少なくとも１個設け、該シール部を前記開口部内に挿入して前記シールリップを開口部内周に面接触せしめてなり、
前記容器本体の底板下面に環状突起又は凹部を設けるとともに、前記キャップ形外蓋の上面に前記環状突起又は凹部が着脱自在に嵌合する凹部又は凸部を形成した積み重ね可能な水密性容器。
【請求項２】
シールリップの付け根に肉厚部を形成して該シールリップを補強した請求項１記載の水密性容器。
【発明の詳細な説明】
【０００１】
【発明の属する技術分野】
本発明は、薬液等の液体を収容する水密性容器に関するもので、特に病理組織検査用検体を収容したカセット（以下「検体カセット」と略称する）をアルコール漬け又はホルマリン漬けにして保管するのに有用な容器に関する。
【０００２】
【従来の技術】
従来のこの種の水密性容器は、その殆どがガラス製又はプラスチック製の容器本体の開口部にパッキンを介してプラスチック製又は金属製のキャップ形外蓋を冠着してなるものであった。
【０００３】
【発明が解決しようとする課題】
しかし、従来の水密性容器においては、積み重ねた場合に、振動が加わったり、手等が触れると簡単に崩れるため、積み重ねが困難で、そのため、広大な面積を必要とし、また仮に積み重ねたとしても容易に崩落するので再度積み重ねたりする余計な手間が必要で作業性が悪く、更に、必ずしも水密性が十分でないために、収容した検体カセット等を長期間保管できない場合があるという問題があった。
本発明は、従来の水密性容器を改良して、上記のような問題点を取り除き、安定的に積み重ねが可能な水密性容器、及び更に水密性を改良した容器を提供することを目的とする。
【０００４】
【課題を解決するための手段】
上記目的を達成するために、本発明は、容器本体の開口部に、シール用部材からなり、円形の天板の周縁に円筒部が形成されるとともに、天板の内側下面にＵ字形の断面形状を有する二重円筒状のシール部が前記円筒部より下側に突出するように形成されているキャップ形外蓋を着脱自在に冠着してなり、前記二重円筒状のシール部外周であって前記円筒部より突出している部分に弾性を有する環状のシールリップを少なくとも１個設け、該シール部を前記開口部内に挿入して前記シールリップを開口部内周に面接触せしめてなり、
前記容器本体の底板下面に環状突起又は凹部を設けるとともに、前記キャップ形外蓋の上面に前記環状突起又は凹部が着脱自在に嵌合する凹部又は凸部を形成した積み重ね可能な水密性容器を内容とする（請求項１）。
【０００５】
好ましい態様としては、シールリップの付け根に肉厚部を形成して該シールリップを補強した請求項１記載の水密性容器である（請求項２）。
【０００６】
【作用】
容器本体の底板下面に環状突起又は凹部を設けるとともに、キャップ形外蓋の上面に前記環状突起又は凹部が着脱自在に嵌合する凹部又は凸部を形成したので、複数個の水密性容器を上下方向に積み重ねたときに容器どうしが左右方向にずれて崩落するのを防止して、容器を安定的に積み重ねることができる。
また、Ｕ字形の断面形状を有する二重円筒状のシール部に設けた環状のシールリップを有する筒状のシール部を用いることにより、シール部を開口部内に挿入する際にシールリップが開口部内周に接触して上方に湾曲し、シールリップの先端部がその復元弾発力により開口部内周に押圧的に面接触する。これにより、容器内部は十分な水密性が確保される。したがって、容器内に収容した検体カセット等の収容物を長期間保管することができる。
【０００７】
また、シールリップの付け根に肉厚部を形成して該シールリップを補強すると、シールリップの水密性が向上するとともに、その寿命が延びるので好ましい。
【０００８】
【実施例】
以下、本発明の実施例を図面に基づいて説明するが、本発明は必ずしも以下の実施例に限定されるものではない。
【０００９】
実施例１
本実施例の水密性容器は、図１に示すように、容器本体４１の開口部４３にキャップ形外蓋４２を着脱自在に冠着してなるものである。
【００１０】
容器本体４１は、ガラス、プラスチック、金属等からなる円筒状容器であって、上端部に開口部４３を有するとともに、底板４４の下面に環状突起４５を有している。
【００１１】
外蓋４２は、軟質塩化ビニール、軟質ポリエチレン等の軟質プラスチックや、シリコンゴム、天然又は合成ゴム等のエラストマー等からなるシール用部材であって、円形の天板４６の周縁に円筒部４７が形成されるとともに、天板４６の内側下面にＵ字形の断面形状を有する二重円筒状のシール部４８が円筒部４７より下側に突出するように形成されている。該シール部４８の外周であって円筒部４７より突出している部分には、弾性に富む環状のシールリップ４９が少なくとも１個（図示のものは２個）形成されている。
【００１２】
なお、シールリップ４９の付け根には肉厚部５０が形成されており、シールリップ４９の水密性と寿命延長とが図られている。
【００１３】
また、前記円筒部４７の外周にはローレット５１が形成されており、さらに、天板４６の上面には、容器本体４１の底板４４の環状突起４５が着脱自在に嵌合する凹部５２が形成されている。
【００１４】
なお、外蓋４２は、ガラス、硬質プラスチック、金属等の硬質材料からなるものとしてもよい。但し、この場合には、シールリップに弾性を付与するために、図２に示すように、軟質プラスチックやエラストマーを用いて外周に弾性に富むシールリップ５３を有するシール外筒部５４を形成し、該シール外筒部５４を硬質材料から成形した外蓋４２のシール部４８の外周に嵌着し、シール外筒部５４とシール部４８とを接着剤で固着する。これにより、硬質材料からなる外蓋４２に弾性に富んだシールリップ５３を設けることができる。該シールリップ５３の作用効果が一体成形した前記シールリップ４９と同じであることはいうまでもない。
【００１５】
上記構成の水密性容器を用いて例えば検体カセットを保管するには、容器本体４１から外蓋４２を取り外し、容器本体４１内にホルマリン、生理食塩水等の薬液５５を注入した後、検体カセット５６を薬液５５中に浸漬する。
【００１６】
それから、外蓋４２のシール部４８を容器本体４１の開口部４３内に挿入しながら、外蓋４２の円筒部４７を開口部４３上に着脱自在に冠着する。このとき、シール部４８のシールリップ４９（又は図２中のシール外筒部５４のシールリップ５３）は開口部４３内周に接触して上向きに湾曲し、その先端部が復元弾発力により開口部４３内周に押圧的に面接触して開口部４３内周との間に十分な水密性を確保する。
【００１７】
かくして、検体カセット５６はホルマリン、生理食塩水等に浸漬され、長期間の保管に耐える。
【００１８】
次に、複数個の水密性容器を上下に積み重ねる場合、上段の容器本体４１の底板４４に形成された環状突起４５を下段の容器本体４１の外蓋４２に形成された凹部５２内に嵌合させておくと、容器どうしの左右方向のずれによる崩落が防止され、容器を安定的に積み重ねることが可能である。
【００１９】
尚、上記例において、容器本体の底板下面に環状突起を設け、キャップ形外蓋の上面に前記環状突起が着脱自在に嵌合する凹部を設けたが、これとは逆に、容器本体の底板下面に環状凹部を設け、キャップ形外蓋の上面に前記環状凹部が着脱自在に嵌合する凸部を設けても同様の効果を奏することは云うまでもない。
【００２０】
図３〜図６は、それぞれシールリップの更に他の例を示すもので、図３、図４はシールリップ６０の付け根に肉厚部６１を形成したもの、図５、図６はシールリップ６０の付け根に肉厚部を形成していないものである。
【００２１】
【発明の効果】
本発明は、以上述べたように、上段の容器本体の底板下面に設けた環状突起又は凹部を下段の容器本体の外蓋上面に設けた凹部又は凸部に嵌合させることにより複数個の水密性容器を上下方向に積み重ねることができるので、容器どうしの左右方向のずれが防止され、容器を安定的に積み重ねることができる。
【００２２】
また、外蓋にＵ字形の断面形状を有する二重円筒状のシール部に弾性を有するシールリップを設けることにより、該シールリップが容器本体の開口部内周との間に十分な水密性を確保するので、容器本体内に注入したアルコールやホルマリン等の薬液中に検体カセット等の被保管物を浸漬した状態で、被保管物を長期間保管することができる。
【００２３】
また、シールリップの付け根に肉厚部を形成して補強しておくことにより、シールリップの水密性を向上するとともに、寿命を延ばすことができる。
【図面の簡単な説明】
【図１】  本発明の実施例１を示す水密性容器の要部切欠き正面図である。
【図２】  上記実施例１における外蓋が硬質材料からなる場合のシールリップ形成方法を示す要部断面図である。
【図３】  シールリップの他の例を示す断面図である。
【図４】  シールリップの他の例を示す断面図である。
【図５】  シールリップの他の例を示す断面図である。
【図６】  シールリップの他の例を示す断面図である。
【符号の説明】
４１  容器本体                    ４２  外蓋
４３  開口部                      ４４  底板
４５  環状突起                    ４６  天板
４７  円筒部                      ４８  シール部
４９  シールリップ                ５０  肉厚部
５１  ローレット                  ５２  凹部
５３  シールリップ                ５４  シール外筒部
５５  薬液                        ５６  検体カセット
６０  シールリップ                ６１  肉厚部
【図１】
0004520548.tif 000002
【図２】
0004520548.tif 000003
【図３】
0004520548.tif 000004
【図４】
0004520548.tif 000005
【図５】
0004520548.tif 000006
【図６】
0004520548.tif 000007